(57)【要約】      （修正有）【課題】清掃作業が容易で、汎用性が高く、かつ、低コストな集水枡を提供する。【解決手段】開口した上端が床面に位置して床下に埋設された桝枠１と、上記桝枠１の開口した上端を塞ぎ排水孔２１が形成された蓋体２と、を備える。そして、上記桝枠の内部に着脱自在に配置され、開口する一端が上記蓋体側に位置し当該蓋体の上記排水孔から流入した排水を内部に流通させる筒状の籠枠３と、当該籠枠の側壁に対して垂直に位置する板部材であり上記排水孔よりも小さい濾過孔４１が形成され上記排水に含まれる個体物を濾し取る濾過板４と、を有すると共に、上記濾過板が上記籠枠の内部に対して挿抜自在な配置された籠体３，４を備える。さらに、上記籠枠の上端付近、及び、下端付近のそれぞれに、当該籠枠の内部に挿入されて配置された上記濾過板が上記籠枠の上端側及び下端側から離脱しないよう上記濾過板を上記籠枠の内部に留めて係止する係止部を設けた。【選択図】図２
0003155519.tif 000002
【実用新案登録請求の範囲】
【請求項１】
上端が開口し底面と側壁とを有する容器であり、開口した上端が床面に位置して床下に埋設され、前記側壁に排水管が連通する貫通孔が形成された桝枠と、
前記桝枠の開口した上端を塞ぐ板状の部材であり、床面上からの排水を前記桝枠の内部に流入させる排水孔が形成された蓋体と、
前記桝枠の内部に着脱自在に配置され、開口する一端が前記蓋体側に位置し当該蓋体の前記排水孔から流入した排水を内部に流通させる筒状の籠枠と、当該籠枠の側壁に対して垂直に位置する板部材であり前記排水孔よりも小さい濾過孔が形成され前記排水に含まれる個体物を濾し取る濾過板と、を有すると共に、前記濾過板が前記籠枠の内部に対して挿抜自在な配置された籠体と、を備え、
前記籠枠の上端付近、及び、下端付近のそれぞれに、当該籠枠の内部に挿入されて配置された前記濾過板が前記籠枠の上端側及び下端側から離脱しないよう前記濾過板を前記籠枠の内部に留めて係止する係止部を設けた、
集水桝。
【請求項２】
請求項１に記載の集水桝であって、
前記籠枠に設けられた前記係止部は、前記籠枠の下端付近の側壁から一様に内部側に突出する環状の突出部にて形成された下端側係止部と、前記籠枠の上端付近の側壁の所定箇所から内部側に突出する複数の突出部にて形成された上端側係止部と、により構成されている、
集水桝。
【請求項３】
請求項２に記載の集水桝であって、
前記濾過板の外形は、四角形状であると共に、前記籠枠は、前記濾過板の外形に対応して内部断面形状が四角形状の筒状体であり、
前記籠枠に設けられた前記上端側係止部は、前記籠枠の相互に対向する一対の側壁の各内面から対向する側壁に向かって突出して形成された一対の突出部にて構成されており、当該一対の突出部の各突出端の距離が、前記濾過板の対辺間の距離よりも短く形成されている、
集水桝。
【請求項４】
請求項２又は３に記載の集水桝であって、
前記上端側係止部は、前記桝枠の上端に配置される前記蓋体を下方から支持するよう、前記籠枠の上端に位置して設けられている、
集水桝。
【請求項５】
請求項２乃至４のいずれか一項に記載の集水桝であって、
前記籠枠に設けられた前記下端側係止部は、前記籠枠の上端付近と比較して下端付近の所定箇所で内部断面形状が小さく形成されることにより構成された段差部にて形成されている、
集水桝。
【考案の詳細な説明】
【技術分野】
【０００１】
本考案は、集水桝にかかり、特に、厨房などの床下に配置され、排水を集水して排水管に流す集水桝に関する。
【背景技術】
【０００２】
食品工場や飲食店などの厨房の床下には、排水を流す排水管が設けられていると共に、排水管同士を連結して当該排水管に流す排水を集水する集水桝が設けられている。集水桝の一例を、特許文献１を参照して説明する。
【０００３】
特許文献１に開示されている集水桝は、上端が床面に位置するよう埋設された箱型の桝体を備えており、その内部に桝内を横断するよう係止されたバスケットを備えている。そして、集水桝に流入した排水を、バスケットを通すことで、当該バスケットにて排水に含まれる固形物を濾し取る。つまり、特許文献１には具体的に記載されていないが、バスケットには、排水は通過できるが固形物は通過できない多数の濾過孔が形成されており、これにより、固形物が除去された排水を排水管に流すことができる。また、上記バスケットは、桝体から取り外すことができ、取り外した状態でバスケットを清掃することで、当該バスケットにて濾し取った固形物を除去することができる。
【先行技術文献】
【特許文献】
【０００４】
【特許文献１】特開２００６−４５９６９号公報
【考案の概要】
【考案が解決しようとする課題】
【０００５】
しかしながら、上述した特許文献１に開示の集水桝では、バスケットが一体的な部材にて構成されているため、排水を通過させる濾過孔の径は一種類となる。すると、集水桝を設置する厨房毎で排水と共に流される固形物の大きさが異なる場合には、一種類の集水桝では各厨房に適切に対応することができず、汎用性が低い、という問題が生じる。例えば、バスケットの濾過孔で固形物を濾過できず、当該固形物が排水管に詰まってしまうことが生じたり、逆に、あらゆる固形物が濾過孔にて濾し取られることによってバスケットがすぐに固形物でいっぱいになってしまうなど、利便性が低い、という問題が生じる。一方で、あらゆる厨房に対応すべく、多種の濾過孔のバスケットを製造することも考えられるが、当該バスケット自体を多種類製造する必要があり、コストが増加する、という問題が生じる。
【０００６】
このため、本考案の目的は、上述した課題である、コストが高く、汎用性が低いことを解決することができる集水桝を提供することにある。
【課題を解決するための手段】
【０００７】
かかる目的を達成するため本考案の一形態である集水桝は、
上端が開口し底面と側壁とを有する容器であり、開口した上端が床面に位置して床下に埋設され、上記側壁に排水管が連通する貫通孔が形成された桝枠と、
上記桝枠の開口した上端を塞ぐ板状の部材であり、床面上からの排水を上記桝枠の内部に流入させる排水孔が形成された蓋体と、
上記桝枠の内部に着脱自在に配置され、開口する一端が上記蓋体側に位置し当該蓋体の上記排水孔から流入した排水を内部に流通させる筒状の籠枠と、当該籠枠の側壁に対して垂直に位置する板部材であり上記排水孔よりも小さい濾過孔が形成され上記排水に含まれる個体物を濾し取る濾過板と、を有すると共に、上記濾過板が上記籠枠の内部に対して挿抜自在な配置された籠体と、を備える。
そして、上記籠枠の上端付近、及び、下端付近のそれぞれに、当該籠枠の内部に挿入されて配置された上記濾過板が上記籠枠の上端側及び下端側から離脱しないよう上記濾過板を上記籠枠の内部に留めて係止する係止部を設けた、
という構成を採る。
【考案の効果】
【０００８】
本考案は、以上のように構成されることにより、清掃などの作業が容易で利便性の向上を図ることができると共に、低コストにて汎用性の高い集水桝を提供することができる。
【図面の簡単な説明】
【０００９】
【図１】集水桝の設置状況を示す図である。
【図２】集水桝の構成を示す図である。
【図３】集水桝の組み付けの様子を示す図である。
【考案を実施するための形態】
【００１０】
＜実施形態１＞
本考案の第１の実施形態を、図１乃至図３を参照して説明する。図１は、集水桝の設置状況を示す図である。図２は、集水桝の構成を示す図であり、図３は、集水桝の組み付け時の様子を示す図である。
【００１１】
［構成］
本実施形態における集水桝（桝枠１）は、図１（Ａ）に示すように、食品工場や飲食店などの厨房の床面Ｇの下に埋設され、当該床面Ｇからの排水を集水する装置である。そして、集水桝（桝枠１）には、図１（Ａ），（Ｂ）に示すように、床面Ｇ下に埋設された排水管５が連結しており、集水桝にて集水した排水を、排水管５に流すよう構成されている。以下、集水桝の構成について、図２乃至図３を参照して説明する。
【００１２】
図２は、集水桝の構成を示す図である。この図に示すように、集水桝は、床下に埋設される桝枠１と、この桝枠１の内部に着脱自在に配置される籠体（籠枠３、濾過板４）と、桝枠１の上端に配置される蓋体２と、を備えている。
【００１３】
上記桝枠１は、底面が略正方形状であり、底面の周囲に４面の側壁が立設して設けられ、上端が開口した所定の深さの容器である。そして、図１（Ａ）に示すように、開口した上端が床面Ｇに位置するよう、桝枠１自体が床に埋設される。また、桝枠１の側壁の一面には、内部に通ずるよう貫通する貫通孔１１が形成されており、この貫通孔１１には排水管５が連通して連結される。また、桝枠１の開口した上端部分は、所定の幅の平面部が「ロ」の字状（環状）に形成されており、後述する籠枠３の鍔部３１が載置されるよう構成されている。なお、桝枠１の形状は上述した形状に限定されない。
【００１４】
また、上記籠体は、略筒状の籠枠３と、この籠枠３内に配置される濾過板４と、を備えて構成されている。具体的に、略筒状である籠枠３の内部断面形状は、図２に示すように、上記桝枠１の内底面の形状よりも小さく形成された略正方形である。そして、籠枠３の開口した一端の外周には、一様に外側に突出する「ロ」の字型の鍔部３１が形成されており、その外形は上記桝枠１の上端に形成された平面部とほぼ同一の形状に形成されている。また、籠枠３の上端から下端までの長さ（筒長さ）は、上記桝枠１の上端から内底面までの長さである深さよりも短く形成されている。これにより、籠枠３を桝枠１の内部に挿入して、籠枠３の鍔部３１を桝枠１の上端に形成された平面部に載置したときには、図１（Ｂ）に示すように、籠枠３の下端と桝枠１の内底面との間に空間が形成され、排水Ｗを溜めることができる。
【００１５】
なお、籠枠３の鍔部３１は、特定の一辺の幅が広く形成されており、その対辺に位置する部分の幅が狭く形成されている。そして、鍔部３１の幅が広く形成された一辺部分を、上記桝枠１に形成された貫通孔１１に連結される排水管５が位置する箇所に合わせて籠枠３を配置することで、図１（Ｂ）に示すように、桝枠１内において籠枠３の側壁と排水管５との間の空間を広く取ることができる。
【００１６】
また、籠枠３の下端部３２は、下端から所定の距離だけ上方に位置する下端付近の所定箇所にかけて、内部断面形状が上端側よりも小さく形成されている。これにより、内部断面形状が上端側よりも小さくなるよう変化する箇所における壁面が、内部側に一様に突出して環状（「ロ」の字型）の段差部３３（下端側係止部（係止部））を形成している。具体的に、段差部３３は、籠枠３の下端から所定の距離に形成された内部側に突出する突出部であり、上端側に向く環状の平面を形成している。
【００１７】
そして、上記段差部３３には、図３に示すように、濾過板４が載置されることとなる。このため、濾過板４は、上記段差部３３の外形、つまり、籠枠３の上端側の内部断面形状とほぼ同一の形状である略正方形に形成されている。そして、濾過板４には、当該濾過板４を貫通する多数の濾過孔４１が一様に形成されている。なお、この濾過孔４１は、後述する蓋体２に形成された排水孔２１よりも小さく形成されている。
【００１８】
また、図２に示すように、上記籠枠３の相互に対向する一対の側壁の上端箇所には、内面から内部側に向かって、つまり、相互に対向する壁面に向かってそれぞれ突出する一対の突出片３４，３５（上端側係止部（係止部））が設けられている。具体的に、各突出片３４，３５は、籠枠３の上端に形成された鍔部３１が形成する平面に沿った平面部、つまり、籠枠３の上端部分である開口部分にて形成される平面に沿った平面部を有している。そして、一対の突出片３４，３５は籠枠３の相互に対向する一対の側壁からそれぞれ内部側に向かって突出しているため、これらの突出端の距離は、一対の側壁間の距離よりも短くなる。つまり、一対の突出片３４，３５間の距離は、上述した濾過板４の一対の対辺間の距離よりも短くなるよう配置される。
【００１９】
なお、籠枠３と濾過板４とは、必ずしも上述した形状に限定されない。例えば、籠枠３は、正方形状の筒状であることに限定されず、これに対応して、濾過板４の外形も正方形状であることに限定されない。また、籠枠３に設けられた一対の突出片３４，３５は、必ずしも上端に設けられることに限定されず、上端から少し離れて設けられていてもよい。さらに、突出片３４，３５は、必ずしも２つであることに限定されず、例えば、３つの側壁にそれぞれ設けられ、３つの突出片３４，３５が設けられていてもよい。
【００２０】
また、上記蓋体２は、上記籠枠３の上端、つまり、上記桝枠１の上端に配置される。このとき、蓋体２は、桝枠１の上端の形状に対応して略正方形の板状に形成されており、当該蓋体２を貫通する排水孔２１が複数形成されている。なお、この排水孔２１の大きさは、上述した濾過板４に形成された濾過孔４１よりも大きく形成されている。これにより、蓋体２は、籠枠３（桝枠１）の開口した上端を塞ぐ役割を果たすが、これと共に、排水孔２１から床面上の排水を内部に流入させる機能を有する。
【００２１】
［動作］
次に、上記集水桝の使用時の動作を説明する。はじめに、厨房などに集水桝を設置する際には、まず、桝枠１を床下に埋設する。そして、籠体つまり筒状の籠枠３の内部に濾過板４を挿入して、下端付近の段差部３３に載置して配置する（図３参照）。このとき、濾過板４が籠枠３の上端に設けられた一対の突出片３４，３５にぶつからないよう、濾過板４を縦にして籠枠３の内部に挿入し、その下端付近で側壁に対して垂直になるよう向きを変え、段差部３３に載置する。
【００２２】
その後、上述したように濾過板４を配置した籠枠３を、桝枠１内に挿入して配置する（図３の矢印Ｙ１参照）。このとき、籠枠３の鍔部３１を桝枠１の上端の平面部に載置することで、図１（Ｂ）に示すように、籠枠３の下端と桝枠１の内底面との間に空間が形成される。なお、濾過板４は、籠枠３を桝枠１内に配置してから、籠枠３内に配置してもよい。
【００２３】
その後、籠枠３及び桝枠１の上端位置、つまり、籠枠３の鍔部３１に蓋体２を配置して（図３の矢印Ｙ２参照）、集水桝の上端を塞ぐ。このとき、蓋体２には、籠枠３の上端に形成された鍔部３１と一対の突出片３４，３５とが接触するため、当該蓋体２は鍔部３１と突出片３４，３５とにより下方から支持された状態となる。
【００２４】
そして、集水桝の使用時には、蓋体２の排水孔２１から排水が集水桝内に流入される。すると、排水は、籠枠３内に流入して当該籠枠３内の下端付近に配置された濾過板４を流通し、図１（Ｂ）の符号Ｗに示すように、桝枠１の内底面に溜まる。このとき、排水が濾過板４を通過することで、濾過孔４１にて排水に含まれる個体物が濾し取られる。その後、排水は、桝枠１の側壁に形成された貫通孔１１から排水管５へと流入する。
【００２５】
その後、上記濾過板４にて濾し取られた個体物が溜まると、集水桝を清掃する必要がある。その際には、まず、蓋体２を取り外してから、籠枠３を桝枠１内部から取り外す。そして、籠枠３を逆さにすることで、濾過板４の表面に溜まった個体物を除去することができる。このとき、籠枠３を逆さにした場合であっても、籠枠３の上端側に濾過板４が移動することとなるが、当該濾過板４は籠枠３の上端に設けられた一対の突出片３４，３５にて係止され、籠枠３内部から上端側に離脱することがない。従って、清掃などの際に濾過板４が籠枠３から離脱することなく、作業が容易となり、利便性の向上を図ることができる。
【００２６】
そして、濾過孔４１の大きさが異なる濾過板４を複数種類製造して用意しておくとよい。これにより、利用場所に応じて濾し取ることが予想される排水に含まれる個体物の大きさに対応した濾過板４を用いることができる。従って、簡易な構成の濾過板４のみを複数種類形成しておけばよいため、低コストにて汎用性の高い集水桝を提供することができる。
【００２７】
＜実施形態２＞
本考案の第２の実施形態における集水桝について説明する。なお、本実施形態では、上記実施形態にて説明した集水桝の構成の概略を説明する。
【００２８】
本考案の一形態である集水桝は、
上端が開口し底面と側壁とを有する容器であり、開口した上端が床面に位置して床下に埋設され、上記側壁に排水管が連通する貫通孔が形成された桝枠と、
上記桝枠の開口した上端を塞ぐ板状の部材であり、床面上からの排水を上記桝枠の内部に流入させる排水孔が形成された蓋体と、
上記桝枠の内部に着脱自在に配置され、開口する一端が上記蓋体側に位置し当該蓋体の上記排水孔から流入した排水を内部に流通させる筒状の籠枠と、当該籠枠の側壁に対して垂直に位置する板部材であり上記排水孔よりも小さい濾過孔が形成され上記排水に含まれる個体物を濾し取る濾過板と、を有すると共に、上記濾過板が上記籠枠の内部に対して挿抜自在な配置された籠体と、を備えている。
そして、上記籠枠の上端付近、及び、下端付近のそれぞれに、当該籠枠の内部に挿入されて配置された上記濾過板が上記籠枠の上端側及び下端側から離脱しないよう上記濾過板を上記籠枠の内部に留めて係止する係止部を設けた、
という構成を採る。
【００２９】
また、上記集水桝では、
上記籠枠に設けられた上記係止部は、上記籠枠の下端付近の側壁から一様に内部側に突出する環状の突出部にて形成された下端側係止部と、上記籠枠の上端付近の側壁の所定箇所から内部側に突出する複数の突出部にて形成された上端側係止部と、により構成されている、と望ましい。
【００３０】
このとき、上記集水桝では、
上記濾過板の外形は、四角形状であると共に、上記籠枠は、上記濾過板の外形に対応して内部断面形状が四角形状の筒状体であり、
上記籠枠に設けられた上記上端側係止部は、上記籠枠の相互に対向する一対の側壁の各内面から対向する側壁に向かって突出して形成された一対の突出部にて構成されており、当該一対の突出部の各突出端の距離が、上記濾過板の対辺間の距離よりも短く形成されている、となお望ましい。
【００３１】
また、上記集水桝では、
上記上端側係止部は、上記桝枠の上端に配置される上記蓋体を下方から支持するよう、上記籠枠の上端に位置して設けられていてもよい。
【００３２】
さらに、上記集水桝では、
上記籠枠に設けられた上記下端側係止部は、上記籠枠の上端付近と比較して下端付近の所定箇所で内部断面形状が小さく形成されることにより構成された段差部にて形成されていてもよい。
【００３３】
上記考案によると、まず、桝枠を床面に埋設すると共に、その内部に籠体を配置する。このとき、籠体つまり筒状の籠枠の内部の下端付近に設けられた下端側係止部にて係止されるよう濾過板を配置する。そして、籠体及び桝枠の上端位置つまり床面位置に蓋体を配置することで、集水桝を設置することができる。その後、使用時には、蓋体の排水孔から排水が集水桝内に流入される。すると、排水は、籠枠内に流入して当該籠枠内の下端付近に配置された濾過板を流通し、このとき、当該濾過板に形成された濾過孔にて排水に含まれる個体物を濾し取ることができる。その後、排水は、桝枠の側壁に形成された貫通孔から排水管へと流入する。
【００３４】
その後、上記濾過板にて濾し取られた個体物が溜まった場合には、籠体自体を桝枠から取り外し、逆さにすることで、濾過板の表面に溜まった個体物を除去することができる。このとき、籠体を逆さにした際に、籠枠の上端側に濾過板が移動することとなるが、当該濾過板は籠枠の上端付近に設けられた上端側係止部にて係止され、籠枠内部から離脱することなく籠枠内部に留まる。従って、清掃などの際に濾過板が籠枠から離脱することなく、作業が容易となり、利便性の向上を図ることができる。
【００３５】
また、濾過板は、籠枠の内部に挿抜自在であるため、集水桝の利用場所に応じて濾過孔の大きさの異なる濾過板を籠枠に挿入して利用することができる。従って、濾過孔の大きさが異なる濾過板を複数種類製造することで、低コストにて汎用性の高い集水桝を提供することができる。
【００３６】
以上、上記各実施形態を参照して本願考案を説明したが、本願甲案は、上述した実施形態に限定されるものではない。本願考案の構成や詳細には、本願考案の範囲内で当業者が理解しうる様々な変更をすることができる。
【産業上の利用可能性】
【００３７】
本考案は、食品工場や飲食店などの厨房の床下に埋設して、各排水管に連結して当該排水管に流す排水を集水する集水桝として利用することができ、産業上の利用可能性を有する。
【符号の説明】
【００３８】
１      桝枠
１１    貫通孔
２      蓋体
２１    排水孔
３，４  籠体
３      籠枠
３１    鍔部
３２    下端部
３３    段差部
３４，３５  突出片
４      濾過板
４１    濾過孔
５      排水管
Ｇ      床面
Ｗ      排水
【図１】
0003155519.tif 000003
【図２】
0003155519.tif 000004
【図３】
0003155519.tif 000005